(57)【特許請求の範囲】
【請求項１】
光源の光を反射板で反射させた後に原稿の画像面に照射し、原稿の画像面における反射光を受光素子の受光面に配光する画像読取装置において、
受光素子における加法混色の三原色の各色間の出力比が略一定になるように、光源から反射板及び原稿の画像面を経て受光素子の受光面に至る光路中で各色の強度を補正する強度補正部材を備え、
前記強度補正部材が、反射率を低下させるべき色の補色を白色シートの表面に塗布して構成され、光源の光における加法混色の三原色の各色を、光源の発光スペクトル特性と受光素子の分光感度特性とを掛け合わせた後に可視波長の範囲で積分した値に基づいて受光素子における各色間の出力比が略一定になるように決定した反射率で原稿の画像面に照射する反射板であることを特徴とする画像読取装置。
【請求項２】
光源の光を反射板で反射させた後に原稿の画像面に照射し、原稿の画像面における反射光を受光素子の受光面に配光する画像読取装置において、
受光素子における加法混色の三原色の各色間の出力比が略一定になるように、光源から反射板及び原稿の画像面を経て受光素子の受光面に至る光路中で各色の強度を補正する強度補正部材を備え、
前記強度補正部材が、反射率を低下させるべき色の補色に着色したフィルムを白色シートの表面に貼付して構成され、光源の光における加法混色の三原色の各色を、光源の発光スペクトル特性と受光素子の分光感度特性とを掛け合わせた後に可視波長の範囲で積分した値に基づいて受光素子における各色間の出力比が略一定になるように決定した反射率で原稿の画像面に照射する反射板であることを特徴とする画像読取装置。
【請求項３】
光源の光を反射板で反射させた後に原稿の画像面に照射し、原稿の画像面における反射光を受光素子の受光面に配光する画像読取装置において、
受光素子における加法混色の三原色の各色間の出力比が略一定になるように、光源から反射板及び原稿の画像面を経て受光素子の受光面に至る光路中で各色の強度を補正する強度補正部材を備え、
前記強度補正部材が、透過率を低下させるべき色の補色を透明シートの表面に塗布して構成され、光源から反射板及び原稿の画像面を経て受光素子の受光面に至る光路中で、加法混色の三原色の各色を、光源の発光スペクトル特性と受光素子の分光感度特性とを掛け合わせた後に可視波長の範囲で積分した値に基づいて受光素子における各色間の出力比が略一定になるように決定した透過率で透過するフィルタであることを特徴とする画像読取装置。
【請求項４】
光源の光を反射板で反射させた後に原稿の画像面に照射し、原稿の画像面における反射光を受光素子の受光面に配光する画像読取装置において、
受光素子における加法混色の三原色の各色間の出力比が略一定になるように、光源から反射板及び原稿の画像面を経て受光素子の受光面に至る光路中で各色の強度を補正する強度補正部材を備え、
前記強度補正部材が、透過率を低下させるべき色の補色に着色したフィルムを透明シートの表面に貼付して構成され、光源から反射板及び原稿の画像面を経て受光素子の受光面に至る光路中で、加法混色の三原色の各色を、光源の発光スペクトル特性と受光素子の分光感度特性とを掛け合わせた後に可視波長の範囲で積分した値に基づいて受光素子における各色間の出力比が略一定になるように決定した透過率で透過するフィルタであることを特徴とする画像読取装置。
【発明の詳細な説明】
【０００１】
【発明の属する技術分野】
この発明は、光源の光を原稿の画像面に照射し、画像面における反射光を受光して画像を読み取る画像読取装置に関する。
【０００２】
【従来の技術】
現在最も普及しているＣＣＤ等のリニアイメージセンサを用いた画像読取装置では、カラー原稿の画像面に対して光源から読取光を照射し、画像面からの反射光をレンズ及び赤（Ｒ）、緑（Ｇ）、青（Ｂ）のカラーフィルタで加法混色の三原色に分解してＣＣＤの受光面に結像させ、ＣＣＤでＲ、Ｇ、Ｂの各色のアナログ信号に変換するようにしている。リニアイメージセンサから出力された各アナログ信号は、アンプによって増幅された後にＡ／Ｄ変換器でディジタルデータに変換され、シェーディング補正及びγ変換等の所定の画像処理を施されてイエロー（Ｙ）、マゼンタ（Ｍ）、シアン（Ｃ）の減法混色の三原色の画像データとして出力される。
【０００３】
ＣＣＤから出力された各アナログ信号をアンプによって増幅する場合には、予め基準となる白色原稿を読み取り、ＣＣＤからのアナログ信号の大きさに基づいて増幅率を決定しているが、アナログ信号の出力の大きさはＲ、Ｇ、Ｂの各色で異なる。これは、画像読取装置の総合的な分光特性によって定まるものであり、主要因として光源の発光スペクトルやＣＣＤの分光感度特性があげられる。
【０００４】
即ち、画像読取装置の光源としては、主としてＲ、Ｇ、Ｂの３種類の蛍光体を混合して作られた冷陰極管が用いられ、その発光スペクトルは、可視領域で複数の鋭いピークを持った不連続な特性を有する。
【０００５】
また、ＣＣＤの分光感度特性は、Ｒ、Ｇ、Ｂの各色のカラーフィルタの透過率、及び、フォトダイオードの分光感度特性に依存し、各色の中心波長でピークを持つ連続的な曲線となる。
【０００６】
白色原稿を読み取った場合のＣＣＤの各色のアナログ信号は、Ｒ、Ｇ、Ｂ３色の分光特性を掛け合わせ、可視領域の波長範囲で積分を行った総合的な分光感度特性に比例する。アンプの増幅率は、この値がＲ、Ｇ、Ｂの全てについて目標レベルに一致するように調整される。一般に、光源に冷陰極管を用いた画像読取装置では光源の発光スペクトルがＧで最も明るいため、白色原稿を読み取った場合のアナログ信号出力はＧが最も大きい。このため、アンプの増幅率はＧが最も低くなり、Ｒ、Ｂの増幅率はこれよりも大きな値となる。
【０００７】
ここで、画像読取装置から出力される画像データに基づいて形成した画像の画質を決定する要素の一つに画像のランダムノイズがある。このランダムノイズは、画像の粒状度に関係しており、ノイズが多いほど粒状度合いも大きくなって画質が低下する。画像読取装置では、均一な濃度の原稿を読み取った際の出力信号のバラツキからＳ／Ｎ比を算出することにより、ノイズ性能を定量的に評価することができる。
【０００８】
ＣＣＤ等のリニアイメージセンサにおけるノイズの主要因は、光ショットノイズである。光ショットノイズはＰｏｉｓｓｏｎ分布で記述される揺らぎを持っており、光子数の平均値Ｎに対する標準偏差はその平方根√Ｎで与えられる。これによってＳ／Ｎ比は、
Ｓ／Ｎ＝Ｎ／√Ｎ＝√Ｎ
となり、光子数の平方根に比例する。即ち、像が明るい程Ｓ／Ｎ比が向上し、画像の粒状度合いが小さくなる。上述のように、画像読取装置の総合的な分光感度特性はＧが最大であるため、ＣＣＤに入射する光子数はＧが最も多く、ショットノイズによるＳ／Ｎ比はＲ及びＢに比較してＧが良好になる。
【０００９】
また、ノイズはアンプの増幅率にも依存する。画像読取装置の総合的なノイズは均一な濃度の画像についての出力のバラツキから評価できるが、アンプは出力のバラツキ自体も増幅する。つまり、アンプの増幅率が大きい程ＣＣＤの出力のバラツキが大きくなり、画像のＳ／Ｎ比が低下する。Ｒ、Ｇ、Ｂの各色については、上述のように、アンプの増幅率はＧが最も低いため、ここでもＧのＳ／Ｎ比が最も良くなる。
【００１０】
以上のように、Ｒ、Ｇ、Ｂの各色について反射光の強度が異なるため、それぞれの色でＳ／Ｎ比が相違する。
【００１１】
【発明が解決しようとする課題】
ＣＣＤから出力されるアナログ信号は、ディジタルデータに変換された後にγ変換等の画像処理が施されるが、この変換処理は暗部を急激に明るくするものであるため、補正後は暗部での出力のバラツギが強調され、Ｓ／Ｎ比が悪化する。この場合に、Ｒ、Ｇ、Ｂの各色についてＳ／Ｎ比が相違していると、γ変換後の暗部におけるＳ／Ｎ比の各色間の差異がより拡大することになる。これは、黒い文字や線等の画像を読み取った場合に、γ変換前には黒色と認識されていたドットがγ変換後にはＲ、Ｇ、Ｂの各色のＳ／Ｎ比の差異が拡大することによって色の付いたドットになり易く、画像形成装置の出力画像において適正な色再現ができなくなることを意味する。
【００１２】
例えば、Ｒ及びＢに比較してＧの出力のバラツキが小さい場合には、γ変換後は暗部でのＲ及びＢの出力のバラツキがＧよりも拡大し、Ｒ及びＢの出力範囲が平均値を中心として明るい側と暗い側との両方に広がることになり、Ｒ及びＢの出力が平均値より明るい側に偏った場合にはマゼンタが、Ｒ及びＢの出力が平均値より暗い側に偏った場合には緑が画像に現れ易くなる。
【００１３】
この発明の目的は、原稿の画像面からの反射光におけるＲ、Ｇ、Ｂの各色の強度の違いに起因するＲ、Ｇ、Ｂの各色間のＳ／Ｎ比の差異を光学的に補正することにより、出力画像における色再現性を向上することができる画像読取装置の色補正方法を提供することにある。
【００１４】
【課題を解決するための手段】
この発明は、上記の課題を解決するための手段として、以下の構成を備えている。
【００１５】
(1) 光源の光を反射板で反射させた後に原稿の画像面に照射し、原稿の画像面における反射光を受光素子の受光面に配光する画像読取装置において、
受光素子における加法混色の三原色の各色間の出力比が略一定になるように、光源から反射板及び原稿の画像面を経て受光素子の受光面に至る光路中で各色の強度を補正する強度補正部材を備え、
前記強度補正部材が、反射率を低下させるべき色の補色を白色シートの表面に塗布して構成され、光源の光における加法混色の三原色の各色を、光源の発光スペクトル特性と受光素子の分光感度特性とを掛け合わせた後に可視波長の範囲で積分した値に基づいて受光素子における各色間の出力比が略一定になるように決定した反射率で原稿の画像面に照射する反射板であることを特徴とする。
【００１６】
この構成においては、光源の光が反射板により原稿の画像面に照射される際に、受光素子における加法混色の三原色の各色間の出力比が略一定になるように各色の強度が補正される。したがって、光源の光は加法混色の三原色の各色の強度が補正された状態で原稿の画像面に照射され、原稿の画像面で反射した光を受光した受光素子から出力される各色の受光信号の出力レベルが略一定になり、原稿の画像面からの反射光における各色の強度の違いに起因する各色間のＳ／Ｎ比に差異を生じることがない。
【００１７】
(2) 光源の光を反射板で反射させた後に原稿の画像面に照射し、原稿の画像面における反射光を受光素子の受光面に配光する画像読取装置において、
受光素子における加法混色の三原色の各色間の出力比が略一定になるように、光源から反射板及び原稿の画像面を経て受光素子の受光面に至る光路中で各色の強度を補正する強度補正部材を備え、
前記強度補正部材が、反射率を低下させるべき色の補色に着色したフィルムを白色シートの表面に貼付して構成され、光源の光における加法混色の三原色の各色を、光源の発光スペクトル特性と受光素子の分光感度特性とを掛け合わせた後に可視波長の範囲で積分した値に基づいて受光素子における各色間の出力比が略一定になるように決定した反射率で原稿の画像面に照射する反射板であることを特徴とする。
【００１８】
この構成においては、光源の光が反射板により原稿の画像面に照射される際に、受光素子における加法混色の三原色の各色間の出力比が略一定になるように各色の強度が補正される。したがって、光源の光は加法混色の三原色の各色の強度が補正された状態で原稿の画像面に照射され、原稿の画像面で反射した光を受光した受光素子から出力される各色の受光信号の出力レベルが略一定になり、原稿の画像面からの反射光における各色の強度の違いに起因する各色間のＳ／Ｎ比に差異を生じることがない。
【００１９】
(3) 光源の光を反射板で反射させた後に原稿の画像面に照射し、原稿の画像面における反射光を受光素子の受光面に配光する画像読取装置において、
受光素子における加法混色の三原色の各色間の出力比が略一定になるように、光源から反射板及び原稿の画像面を経て受光素子の受光面に至る光路中で各色の強度を補正する強度補正部材を備え、
前記強度補正部材が、透過率を低下させるべき色の補色を透明シートの表面に塗布して構成され、光源から反射板及び原稿の画像面を経て受光素子の受光面に至る光路中で、加法混色の三原色の各色を、光源の発光スペクトル特性と受光素子の分光感度特性とを掛け合わせた後に可視波長の範囲で積分した値に基づいて受光素子における各色間の出力比が略一定になるように決定した透過率で透過するフィルタであることを特徴とする。
【００２０】
この構成においては、光源から反射板及び原稿の画像面を経て受光素子の受光面に至る間に、光源の光の各色の強度が受光素子における加法混色の三原色の各色間の出力比が略一定になるように補正される。したがって、原稿の画像面で反射した光は加法混色の三原色の各色の強度が補正された状態で受光素子の受光面に配光され、原稿の画像面で反射した光を受光した受光素子から出力される各色の受光信号の出力レベルが略一定になり、原稿の画像面からの反射光における各色の強度の違いに起因する各色間のＳ／Ｎ比に差異を生じることがない。
(4) 光源の光を反射板で反射させた後に原稿の画像面に照射し、原稿の画像面における反射光を受光素子の受光面に配光する画像読取装置において、
受光素子における加法混色の三原色の各色間の出力比が略一定になるように、光源から反射板及び原稿の画像面を経て受光素子の受光面に至る光路中で各色の強度を補正する強度補正部材を備え、
前記強度補正部材が、透過率を低下させるべき色の補色に着色したフィルムを透明シートの表面に貼付して構成され、光源から反射板及び原稿の画像面を経て受光素子の受光面に至る光路中で、加法混色の三原色の各色を、光源の発光スペクトル特性と受光素子の分光感度特性とを掛け合わせた後に可視波長の範囲で積分した値に基づいて受光素子における各色間の出力比が略一定になるように決定した透過率で透過するフィルタであることを特徴とする。
この構成においては、光源から反射板及び原稿の画像面を経て受光素子の受光面に至る間に、光源の光の各色の強度が受光素子における加法混色の三原色の各色間の出力比が略一定になるように補正される。したがって、原稿の画像面で反射した光は加法混色の三原色の各色の強度が補正された状態で受光素子の受光面に配光され、原稿の画像面で反射した光を受光した受光素子から出力される各色の受光信号の出力レベルが略一定になり、原稿の画像面からの反射光における各色の強度の違いに起因する各色間のＳ／Ｎ比に差異を生じることがない。
【００２１】
【発明の実施の形態】
図１は、この発明の実施形態に係る画像読取装置の要部の構成を示す図である。画像読取装置１は、原稿台２上に載置された原稿Ｄの画像面に対して画像読取ユニット３を相対的に走査させ、原稿Ｄの全面の画像を読み取る。画像読取ユニット３は、光源１１、反射板１２、反射鏡１３〜１５、レンズ１６及びＣＣＤ１７を備えている。光源１１は、読取光を発光する。反射板１２は、この発明の強度補正部材であって、光源１１の読取光を反射して原稿Ｄの画像面に照射する部材であり、一般に原稿の画像面における明るさの分布を補正するために用いられるが、この発明では、さらに光源１１から発光された読取光におけるＲ、Ｇ、Ｂの各色の光の明るさを補正する機能を備えている。反射鏡１３〜１５は、原稿Ｄの画像面における反射光をレンズ１６に配光する。レンズ１６は、原稿Ｄの画像面における反射光をＣＣＤ１７の受光面に結像させる。ＣＣＤ１７は、Ｒ、Ｇ、Ｂのカラーフィルタを介して原稿Ｄの画像面における反射光を受光し、加法混色の三原色の各色毎に受光強度に応じたアナログ信号を出力する。
【００２２】
画像読取装置１は、画像処理部４を備えており、ＣＣＤ１７から出力された受光信号は画像処理部４に入力される。画像処理部４は、Ａ／Ｄ変換部２１、シェーディング補正部２２、γ変換部２３及びデータ出力部２４を備えている。Ａ／Ｄ変換部２１は、ＣＣＤ１７から出力された受光信号をディジタルデータに変換する。シェーディング補正部２２は、画像データの濃度レベルを補正する。γ変換部４３は、画像の明暗を補正して視感度補正を行う。データ出力部２４は、Ｒ、Ｇ、Ｂの各色のデータに基づいてＹ、Ｍ、Ｃの減法混色の三原色の画像データを作成して外部の画像形成装置等に出力する。
【００２３】
図２は、上記画像読取装置の光源の発光スペクトル特性の一例を示す図である。冷陰極管である光源１１が発光する読取光は、波長６００ｎｍ、５４０ｎｍ及び４４０ｎｍ付近に強度の鋭いピークがあり、それぞれの波長がＲ、Ｇ、Ｂの各色の中心波長に対応している。
【００２４】
図３は、上記画像読取装置のＣＣＤの分光感度特性の一例を示す図である。ＣＣＤ１７の分光感度特性は、カラーフィルタの分光透過率、及び、フォトダイオードの分光感度に依存する。
【００２５】
ＣＣＤ１７の受光信号の出力レベルは、図２に示す光源１１の発光スペクトル特性と図３に示すＣＣＤ１７の分光感度特性とを掛け合わせ、これを可視波長の範囲で積分した値に依存する。ここでは、光源１１の読取光のＲ、Ｇ、Ｂの各色の中心波長の発光スペクトル強度にのみ注目すると、図２及び図３に示す例では、ＣＣＤ１７から出力されるＲ、Ｇ、Ｂの各色の受光信号の出力レベルは、Ｒ：Ｇ：Ｂ＝７５：１００：６４と見積られる。
【００２６】
図４は、上記画像読取装置における反射板の分光反射率を示す図である。この発明の実施形態に係る画像読取装置１では、上述のように、反射板１２を用いて、光源１１から発光された読取光におけるＲ、Ｇ、Ｂの各色の光の明るさを補正するようにしている。このため、反射板１２は、ＣＣＤ１７から出力されるＲ、Ｇ、Ｂの各色の受光信号の出力レベルに基づいて、Ｒ、Ｇ、Ｂの各色の光の反射率が設定されており、光源１１が発光する読取光におけるＲ、Ｇ、Ｂの各色の光を設定された反射率で原稿Ｄの画像面に照射する。
【００２７】
図２及び図３に示した例では、上述のように、ＣＣＤ１７から出力されるＲ、Ｇ、Ｂの各色の受光信号の出力レベルはＲ：Ｇ：Ｂ＝７５：１００：６４であるため、反射板１２の分光反射率を、出力レベルが最も低いＢの光の反射率を基準として、Ｒの光の反射率を１５％低下させ、Ｇの光の反射率を３６％低下させた値に設定する。
【００２８】
この構成により、光源１１から発光された読取光のうち、Ｒの光は強度を８５％に低下され、Ｇの光は強度を６４％低下され、Ｂの光はそのままの強度で原稿Ｄの画像面に照射されるため、原稿Ｄの画像面での反射光におけるＲ、Ｇ、Ｂの各色の強度も同様に低下する。これによって、原稿Ｄの画像面での反射光についてのＣＣＤ１７のＲ、Ｇ、Ｂの各色の受光信号の出力レベルが略一定になり、各色毎の明るさとＳ／Ｎ比とを略一定にすることができ、γ変換後においても暗部での色再現を適正にして画像形成状態を良好にすることができる。
【００２９】
反射板１２における反射率をＲ、Ｇ、Ｂの各色について変更するため、反射板１２は、白色の紙や樹脂性の白色シートを基材として、その表面に反射率を低下させるべき色の補色を塗布して構成される。例えば、Ｇの反射率を低下させるためには、その補色であるマゼンタの顔料系又は染料系のインクを塗布する。
【００３０】
なお、インクの塗布に代えて、所望の色に着色したフィルムを白色の基材の表面に貼付することもできる。
【００３１】
図５は、この発明の別の実施形態に係る画像読取装置の構成を示す図である。この実施形態に係る画像読取装置５０では、図１に示した画像読取装置１における反射板１２に代えてＲ、Ｇ、Ｂの各色についての反射率が一定の反射板５２を備えるとともに、光源１１から反射板５２、原稿Ｄの画像面、反射鏡１３〜１５及びレンズ１６を経由してＣＣＤ１７に至る光路中における反射鏡１５とレンズ１６との間にフィルタ５１をこの発明の強度補正部材として配置したものである。
【００３２】
フィルタ５１は、ＣＣＤ１７から出力されるＲ、Ｇ、Ｂの各色の受光信号の出力レベルに基づいて、Ｒ、Ｇ、Ｂの各色の光の透過率が設定されており、読取光の原稿Ｄの画像面での反射光におけるＲ、Ｇ、Ｂの各色の光を設定された透過率で透過する。
【００３３】
図２及び図３に示した例では、上述のように、ＣＣＤ１７から出力されるＲ、Ｇ、Ｂの各色の受光信号の出力レベルはＲ：Ｇ：Ｂ＝７５：１００：６４であるため、フィルタ５１の分光透過率を、図６に示すように、出力レベルが最も低いＢの光の透過率を基準として、Ｒの光の透過率を１５％低下させ、Ｇの光の透過率を３６％低下させた値に設定する。
【００３４】
この構成により、原稿Ｄの画像面における反射光のうち、Ｒの光は強度を８５％に低下され、Ｇの光は強度を６４％低下され、Ｂの光はそのままの強度でＣＣＤ１７の受光面に配光される。これによって、原稿Ｄの画像面での反射光についてのＣＣＤ１７のＲ、Ｇ、Ｂの各色の受光信号の出力レベルが略一定になり、各色毎の明るさとＳ／Ｎ比とを略一定にすることができ、γ変換後においても暗部での色再現を適正にして画像形成状態を良好にすることができる。
【００３５】
フィルタ５１における透過率をＲ、Ｇ、Ｂの各色について変更するため、フィルタ５１は、ガラス又は樹脂性の透明シートを基材として、その表面に透過率を低下させるべき色の補色を塗布して構成される。例えば、Ｇの反射率を低下させるためには、その補色であるマゼンタの顔料系又は染料系のインクを塗布する。
【００３６】
なお、インクの塗布に代えて、所望の色に着色したフィルムを透明の基材の表面に貼付することもできる。
【００３７】
また、フィルタ５１は、光源１１から反射板５２、原稿Ｄの画像面、反射鏡１３〜１５及びレンズ１６を経由してＣＣＤ１７に至る光路中であれば、反射鏡１５とレンズ１６との間以外の位置に配置することもできる。
【００３８】
さらに、総合的にＣＣＤ１７から出力されるＲ、Ｇ、Ｂの各色の受光信号の出力レベルが一定になるように、反射率及び透過率が設定された反射板１２及びフィルタ５１の両方を備えることもできる。この場合に、ＣＣＤ１７の受光面に配光する光の強度を減少させるべき２色のうち、一方を反射板１２の反射率で減少させ、他方をフィルタ５１の透過率で減少させるようにしてもよい。
【００３９】
【発明の効果】
この発明によれば、以下の効果を奏することができる。
【００４１】
(1) 光源の光が反射板により原稿の画像面に照射される際に、受光素子における加法混色の三原色の各色間の出力比が略一定になるように各色の強度を補正することにより、光源の光を加法混色の三原色の各色の強度を補正した状態で原稿の画像面に照射し、原稿の画像面で反射した光を受光した受光素子から出力される各色の受光信号の出力レベルを略一定にすることができ、原稿の画像面からの反射光における各色の強度の違いに起因する各色間のＳ／Ｎ比に差異を生じることがないようにして、出力画像の再現性を向上することができる。
【００４２】
(2) 光源から反射板及び原稿の画像面を経て受光素子の受光面に至る間に、光源の光の各色の強度が受光素子における加法混色の三原色の各色間の出力比を略一定になるように補正することにより、原稿の画像面で反射した光を加法混色の三原色の各色の強度を補正した状態で受光素子の受光面に配光し、原稿の画像面で反射した光を受光した受光素子から出力される各色の受光信号の出力レベルを略一定にすることができ、原稿の画像面からの反射光における各色の強度の違いに起因する各色間のＳ／Ｎ比に差異を生じることがないようにして、出力画像の再現性を向上することができる。
【図面の簡単な説明】
【図１】この発明の実施形態に係る画像読取装置の要部の構成を示す図である。
【図２】上記画像読取装置の光源の発光スペクトル特性の一例を示す図である。
【図３】上記画像読取装置のＣＣＤの分光感度特性の一例を示す図である。
【図４】上記画像読取装置における反射板の分光反射率を示す図である。
【図５】この発明の別の実施形態に係る画像読取装置の構成を示す図である。
【図６】上記画像読取装置におけるフィルタの分光透過率を示す図である。
【符号の説明】
１，５０−画像読取装置
２−原稿台
３−画像読取部
４−画像処理部
１１−光源
１２−反射板
１３〜１５−反射鏡
１６−レンズ
１７−ＣＣＤ
５１−フィルタ
【図１】
0003986251.tif 000002
【図２】
0003986251.tif 000003
【図３】
0003986251.tif 000004
【図４】
0003986251.tif 000005
【図５】
0003986251.tif 000006
【図６】
0003986251.tif 000007